(57)【特許請求の範囲】
【請求項１】
平滑平面に整えられた砥面２をもつ砥石１と、その砥面２に平行な面Ｓ上でこれに全面接触しつつ摺動自在な滑走台３とをそなえ、滑走台３は柄付き刃物５をその刀身前端で研ぎおろしをすべき表刃が全面又は少なくとも母線にて砥面２と接する姿勢となるべき、長手方向の傾斜角度及び軸心のまわりの回転角度の調節と、その抑止拘束を可能として保持する刃物受け４を有し、この刃物受け４は滑走台３との間に介装したクッションスポンジ１９を有することを特徴とする彫刻刀類の刃研ぎ具。
【請求項２】
刃物受け４が、柄付き刃物５の軸心の向きに間隔をおく一対の弧状凹溝形部片６，７をもち、かつ両弧状凹溝形部片の相対的揺動を導く昇降調節具８を有するものであることを特徴とする請求項１に記載した彫刻刀類の刃研ぎ具。
【請求項３】
刃物受け４が、その一対の弧状凹溝形部片６，７に支持される円筒治具９との組み合わせになり、円筒治具９は柄付き刃物５’がそのにぎりを内部に納めて固定されるチャック１０をそなえることを特徴とする請求項２に記載した彫刻刀類の刃研ぎ具。
【請求項４】
0003595904.tif 000003
ライナー２０を含む多段構造であることを特徴とする請求項１，２又は３に記載した彫刻刀類の刃研ぎ具。
【請求項５】
刃先側の弧状凹溝形部片６が、刃物受け４の側壁対４ａ，４ｂに設けた各勾配付き長溝孔４ｃ，４ｄ内を摺動調節しうるガイド翼片６ａ，６ｂを有することを特徴とする請求項２，３又は４に記載した彫刻刀類の刃研ぎ具。
【発明の詳細な説明】
【０００１】
【発明の属する技術分野】
本発明は、木版画用、木彫用などの彫刻刀類が、使用を経ることによりまた長期にわたる放置のごときによって切れ味の鈍ったとき、刃先を鋭利に研ぎ直して切れ刃を完全に再生更新すると共に切れ味の持続性向上を図り、快削性ならびに彫刻作業性の飛躍増強に資することが出来る彫刻刀類の刃研ぎ具に関するものである。
【０００２】
【従来の技術】
従来彫刻刀類の刃の手作業による刃研ぎ具は、研ぎ板と平行においた添え木に沿って刀身を研ぎ板の長手方向に動かす往復運動の反覆によるものが知られていた（意匠公報１０５４６２８号参照）。
【０００３】
【発明が解決しようとする課題】
上記した従来の技術によるとき、元来練達した刃研ぎ技能を有する場合には当たらぬことが多い一般的なユーザーにあって、刃研ぎの往復運動のストローク中又は特にストローク端でしばしば刃身の保持があまくなりがちなため、ゆれや妄動を生じて刃先に不規則だれを起こす原因となり、このようにしてさしたる切れ味の回復もその永続性ものぞめず、作品の出来栄えに影響する欠点があった。
【０００４】
本発明は上記問題を解決するために、砥面上で表刃を砥面に対する適切な接触状態の下に往復摺動させる刃研ぎ運動を、確実に案内する新規手段を講じた、彫刻刀類の刃研ぎ具を提供することを目的とする。
【０００５】
【課題を解決するための手段】
上記課題を解決するため本発明による彫刻刀類の刃研ぎ具は、平滑平面に整えられた砥面をもつ砥石と、その砥面に平行な面上でこれに全面接触しつつ摺動自在な滑走台とをそなえ、滑走台は柄付き刃物をその刀身前端にて研ぎ下ろしをすべき表刃が全面又は少なくとも母線（表刃が曲面よりなる例えば丸刀のとき）にて砥面と接する姿勢となるべき、長手方向の傾斜角度及び軸心のまわりの回転角度の調節と、その抑止拘束を可能として保持する刃物受けを有し、この刃物受けは滑走台３との間に介装したクッションスポンジを有することを特徴とするものである。またこの場合において本発明は刃物受けが、柄付き刃物の軸心の向きに間隔をおく一対の弧状凹溝形部片をもち、かつ両弧状凹溝形部片の相対的揺動を導く昇降調節具を有するものである。さらに刃物受けが、その一対の弧状凹溝形部片に支持される円筒治具との組み合わせになり、円筒治具は柄付き刃物がそのにぎりを内部に納めて固定されるチャ
0003595904.tif 000002
によるライナーを含む多段構造であることがよりのぞましい。また刃先側の弧状凹溝形部片が、刃先受けの側壁対に設けた各勾配付長溝孔内を摺動調節し得るガイド翼片を有するものであることが一層のぞましい。
【０００６】
【発明の実施の形態】
図１は本発明に従う彫刻刀類の刃研ぎ具の基本的な実施形態を図解し、１は平滑平面に整えられた砥面２をもつ砥石、３は砥面２に平行な面Ｓ上でこれに全面接触しつつ摺動自在な滑走台であり、４は刃物受けである。（図２の場合も参照のこと）。
【０００７】
刃物受け４は、多くの場合につき図１に示すように長径×短径が１８ｍｍ×１２ｍｍ程度の長円断面（長手方向に一様な）のにぎりをもつ柄付き刃物５を、その刀身前端にて研ぎおろしをすべき表刃が全面又は少なくとも母線にて砥面２と接する姿勢となるべき長手方向の傾斜角度及び軸心のまわりの回転角度を調節し、かつその抑止拘束を可能として保持する機能をもつ。
すなわち刃物受け４は柄付き刃物５の軸心の向きに間隔をおいて柄付き刃物５のにぎりの外周上の２点でそれぞれ接する一対の弧状凹溝形部片６，７をもち、かつ両弧状凹溝形部片６，７の相対的揺動を導く昇降調節具８を有し、柄付き刃物５が弧状凹溝形部片６，７で支持された上記回転角度の調整及び昇降調節具８による傾斜角度の調整をすることができる。
【０００８】
また刃物受け４は図２のように、図１に示したのと基本的に同様な一対の弧状凹溝形部片６，７に支持される、円筒治具９との組み合わせになるものとすることができ、この場合円筒治具９は図１に比しやや細い、例えば外径１３ｍｍ程度の円形断面又は１５ｍｍ×１１ｍｍ程度の長円断面（長手方向異径、図２の破線参照）のにぎりをもつ柄付き刃物５’のにぎりを内部に納めて柄付き刃物５’の刀身を固定するチャック１０をそなえるものとする。
【０００９】
チャック１０は円筒治具９の一端に開口する一対の切り込み溝９ａ，９ｂにそれぞれ緊密に挿入固着された前板１３ａ及び後板１３ｂよりなる受け板１３と、この受け板１３に前板１３ａ、後板１３ｂにまたがって設けた平行一対の長溝孔１３ｃ、１３ｄ内を上下に摺動し得る一対の脚壁１４ａ、１４ｂを有する方形枠１４とから主として成り、方形枠１４の底壁１４ｃ上に、受け板１３の下面との間に柄付き刃物５’の刀身を  挟持するアンビル１５を載置する一方、方形枠１４の頂壁には押ねじ１６をねじ込み、その下端の当板１７をねじ圧下することにより方形枠１４を受板１３に対し吊り上げて、上記刀身の挟持を実現するようにしまた図中１８ａ、１８ｂで示したように円筒治具９は柄付き刃物５’のにぎりを内部に納めて保持する押しねじを有するものとする。
【００１０】
図１に示したとおり、柄付き刃物５を直接刃物受け４上に載せ、また柄付き刃物５’のにぎりがやや細いようなものであるとき、よりのぞましくは図２に示す円筒治具９内に納めてチャック１０と押しねじ１８ａ、１８ｂにより保持してから刃物受け４上に載せると、弧状凹溝形部片６，７によるの支持のもとに柄付き刃物５，５’の軸心の回りまわりの回転角度を調整することができる。
なお図２ではこの回転角度の調整の便宜のため、円筒治具９に刻んだ指標Ｎと照応すべき目盛Ｄを弧状凹溝部片７に設けた場合を示した。
【００１１】
刃物受け４は図示例でピン軸をＶ溝１２で支持した場合を示す昇降調節具８により弧状凹溝形部片６，７の相対的な揺動を導いて、柄付き刃物５，５’の長手方向の傾斜角度を調整でき、ここでとくに刃物受け４の下面前半にクッションスポンジ１９を貼着しておき滑走台３との間に介装することにより上記調節を円滑微妙に行うことができ、このクッションスポンジ１９は、トウションスプリングやリーフスプリングなどのばねによる代替使用が可能である。
【００１２】
弧状凹溝形部片６，７の溝形状は場合により例えば谷形溝の如きに変形してもよく、また昇降調節具８はピン軸をブッシュで軸受けしたりその他のピポット軸などでも代用できる。なお弧状凹溝形部片７を図２のように刃物受け４と別体につくり、例えば長溝孔７ａとビス７ｂとにより残りの弧状凹溝部片６に対する高さ調整を可能とするように変形しても良い。
またこの場合長溝孔７ａの長手方向に沿って直目盛りＤ’を設け、刃物受け４の後縁を指標Ｎ’として上記高さ調整の目安にすることができる。
【００１３】
図１の柄付き刃物５は、版画刀で印刀、彫刻刀で小刀と呼ばれている斜めの切刃を有する場合の例を示すが、これらのほかにいわゆるのみに似た切刃をもつ平刀やＶ字形切刃を有する三角刀など、刀身前端で裏刃とともに刃縁を形成する表刃が平面をなす場合には、この平面より成る表刃が砥面２と全面接触する柄付き刃物５の姿勢を、長手方向の傾斜角度及び軸心のまわりの回転角度の調節によって導く。
【００１４】
図１の例ではこの姿勢を、柄付き刃物５のにぎりの上面を作業者の指先により刃物受け４上に抑止して保持し乍ら、滑走台３を砥面２と平行な面Ｓ上でこれに全面接触しつつ摺動させることにより表刃を研ぎ下ろすことが出来る。面ｓは例えばフッ素樹脂系のすべりがよいコーチングを施したシートの如きを用いればよい。
【００１５】
円筒治具９を用いる場合も上記したと同様指先による抑止保持を行い、何れの場合も三角刀のように切刃面が二面よりなるときには、上記の研ぎ下ろしを各面につきそれぞれ同様に行う。
【００１６】
柄付き刃物５が版画刀で駒透刀と呼ばれる丸刀（図２参照）や間透刀と言われる平丸刀、また彫刻刀の極浅、中浅丸、浅丸、中深丸、深丸そして極深丸などに区分される丸刀など、表刃が曲面よりなるとき、その母線にて砥面２と接する姿勢となるべき、上記傾斜角度及び回転角度の調節とその抑止拘束下の研ぎ下ろしを、刃物受け４上における柄付き刃物５の軸心のまわりの回転運動にあわせ行うことにより成就させ得る。このときとくに図２に示した円筒治具９を用いると回転運動がより円滑に行え、好ましい。すなわち刃物受け４の弧状凹溝形部片６，７に沿って円筒治具９を押しながら手前にまわしてほぼ１／４円弧分を、残りは引き乍ら逆に回すと良い。
【００１７】
柄付き刃物５の刀身の刃先部分が長大で研ぎ下ろすべき表刃を砥面と全面的に接触させ得ないことがあり得るので、この場合滑走台３を図１に示したようにだぼ又はほぞ結合１１によるライナー２０を含む多段構造として分離可能ならしめる。図１にだぼ又はほぞ１１’をもつライナー２０を付記した。
【００１８】
また図３に他の実施形態を示すように、刃先側の弧状凹溝形部片６が、刃物受け４の側壁対４ａ，４ｂに設けた各勾配付き長溝孔４ｃ，４ｄ内を摺動調整し得るガイド翼片６ａ，６ｂを有するものとすることができ、この場合とくににぎりの柄をすげる刀身の挿し込みつけ根を弧状凹溝形部片６に接触させた状態で表刃が全面又は少なくとも母線にて砥面２と接する姿勢となるまでガイド翼片６ａ，６ｂを勾配付き長溝孔４ｃ，４ｄに沿って摺動させるのであり、また弧状凹溝形部片７につき、そのたて溝孔７ａの助けにより、にぎり柄の尾端を支持する位置にビス７ｂでねじ止めするを可とする。図中７ｃはねじ抑止片であり、なおビス７ｂのねじ頭は図にあらわされていない。
ここに勾配付長溝孔４ｃ，４ｄの下縁に沿って側壁対４ａ，４ｂには、ゴム摩擦シート４ｅを接着などによって固着しておき、ガイド翼片６ａ，６ｂの摺動運動を円滑にすると共にその保持を容易にするとなおのぞましい。なおこの例で昇降調節具８は、滑動台３に横架固定したピン軸８’と刃物受け４の下面に固着した半丸溝形サドル１２”とよりなる場合を示し、１９は図１，２でのべたのとおなじクッションスポンジである。
【００１９】
【発明の効果】
本発明は彫刻刀類の刃の手研ぎ作業中にしばしば生じ勝ちな摺動ストローク中の妄動を生じることがないので、研ぎ下ろし面前縁の不規則だれがなく、すぐれた切れ味が確保される。
【図面の簡単な説明】
【図１】本発明に従う刃研ぎ具の斜視図である。
【図２】部分の分解斜視図と要部断面図である。
【図３】別の実施例の斜視図である。
【符号の説明】
１砥石
２砥面
Ｓ平面
３滑走台
４刃物受け、４ａ，４ｂ側壁、４ｃ，４ｄ勾配付長溝孔、４ｅゴム質摩擦シート
５，５’柄付き刃物
６弧状凹溝形部片、６ａ，６ｂガイド翼片
７弧状凹溝形部片、７ａたて長溝孔、７ｂビス、７ｃねじ抑止片
８昇降調節具、８’固定ピン軸
９円筒治具、９ａ，９ｂ切込み溝
Ｎ，Ｎ’指標
Ｄ，Ｄ’目盛
１０チャック
１１、１１’だぼ（太柄）又はほぞ（柄）結合
１２Ｖ溝、１２’ブッシュ、１２”半丸溝形サドル
１３受板、１３ａ前板、１３ｂ後板、１３ｃ，１３ｄ長溝孔
１４方形枠、１４ａ，１４ｂ側壁、１４ｃ底壁
１５アンビル
１６押しねじ
１７当板
１８ａ，１８ｂ押ねじ
１９クッションスポンジ
２０ライナー
【図１】
0003595904.tif 000004
【図２】
0003595904.tif 000005
【図３】
0003595904.tif 000006